(57)【要約】【課題】断熱、保温効果および遮音効果を特に有し、しかも軽量で、新築住宅又は既存住宅のいずれにも採用可能な建築用内装材を提供する。【解決手段】上面１と下面２とが複数列のリブ３によって所定間隔に仕切られた細長空間Ｓを有する合成樹脂板４の上面側に、表面仕上材５を重層し、前記合成樹脂板４の下面側に、金属薄膜層６を重層したものとしている。さらに、前記複数列の隣り合うリブ３間を仕切り７によってそれぞれ区画し、細長空間Ｓを縦方向に二段にしたものとしている。【選択図】    図３
2010222779.tif 000002
【特許請求の範囲】
【請求項１】
上面（１）と下面（２）とが複数列のリブ（３）によって所定間隔に仕切られた細長空間（Ｓ）を有する合成樹脂板（４）の上面側に、表面仕上材（５）を重層し、前記合成樹脂板（４）の下面側に、金属薄膜層（６）を重層したことを特徴とする建築用内装材。
【請求項２】
前記合成樹脂板（４）の細長空間（Ｓ）の断面形状を、一辺が３〜１０ｍｍの四角形状とし、その細長空間Ｓの長さを、合成樹脂板（４）の縦長または横長となるものとしたことを特徴とする請求項１記載の建築用内装材。
【請求項３】
前記複数列の隣り合うリブ（３）間を仕切り（７）によってそれぞれ区画し、細長空間（Ｓ）を縦方向に二段にしたことを特徴とする請求項１記載の建築用内装材。
【請求項４】
前記金属薄膜層（６）が、アルミ薄膜からなるものとしたことを特徴とする請求項１記載の建築用内装材。
【請求項５】
前記金属薄膜層（６）が、取付け壁面（Ｗ）への粘着層を有したものとしたことを特徴とする請求項１記載の建築用内装材。
【発明の詳細な説明】
【技術分野】
【０００１】
この発明は、新築住宅又は既存住宅のいずれにも採用可能な建築用内装材に関するものである。
【背景技術】
【０００２】
従来、この種の建築用内装材としては、例えば図５に示したように、機能層１１と化粧層１２と裏面層１３とを備えたものが存在する。前記機能層１１は、不織布に活性化木炭粉を含浸させて担持させてなるシート材からなるとしている。さらに、化粧層１２は、壁紙用の和紙からなり、通気性を有しているとしている。また、裏面層１３も紙材料からなり、通気性を有しているとしている。これら機能層１１と化粧層１２、および機能層１１と裏面層１３とは、それぞれの中間に接着剤層１４、１４を介して互いに積層一体化されているとしている（特許文献１）。
【０００３】
さらに、この種の建築用内装材としては、例えば図６に示したように、基板２１の少なくとも表面が吸放湿性とされ、且つ裏面には脱着自在な止着手段２２、２３を有する構成としたものが存在する。具体的には、基板２１の表面に、吸放湿性化粧シート２４と粘着剤層２５とからなる積層体Ｓが、粘着剤層２５が基板２１側を向くと共に吸放湿性化粧シート２４が基板２１と反対側を向くようにして２層以上積層され、しかも粘着剤層２５はその直上部に隣接する吸放湿性化粧シート２４と共に剥離可能とするとしている（特許文献２）。
【先行技術文献】
【特許文献】
【０００４】
【特許文献１】特開２００２−１３８３７５号公報
【特許文献２】特開２００１−３３６２６６号公報
【発明の概要】
【発明が解決しようとする課題】
【０００５】
しかしながら、図５に示した上記従来の建築用内装材では、裏面層が通気性を有することで、機能層が有する調湿や脱臭などの機能を、裏面層を介して内側の壁面構造に対しても機能させることができるとしており、また図６に示した上記従来の建築用内装材では、吸放湿効果が良好であり、外界の温湿度の変化に伴う室内の湿度の変動幅を収束させることができるとしており、何れの建築用内装材も、採用した住宅の断熱、保温効果および遮音効果を特に有するものではなかった。
【０００６】
そこで、この発明は、上記従来の建築用内装材が有していなかった断熱、保温効果および遮音効果を特に有し、しかも軽量で、新築住宅又は既存住宅のいずれにも採用可能な建築用内装材を提供することを目的としてなされたものである。
【課題を解決するための手段】
【０００７】
そのため、この発明の建築用内装材は、上面１と下面２とが複数列のリブ３によって所定間隔に仕切られた細長空間Ｓを有する合成樹脂板４の上面側に、表面仕上材５を重層し、前記合成樹脂板４の下面側に、金属薄膜層６を重層したものとしている。
【０００８】
そして、この発明の建築用内装材は、前記合成樹脂板４の細長空間Ｓの断面形状を、一辺が３〜１０ｍｍの四角形状とし、その細長空間Ｓの長さを、合成樹脂板４の縦長または横長となるものとしている。
【０００９】
さらに、この発明の建築用内装材は、前記複数列の隣り合うリブ３間を仕切り７によってそれぞれ区画し、細長空間Ｓを縦方向に二段にしたものとしている。
【００１０】
また、この発明の建築用内装材は、前記金属薄膜層６が、アルミ薄膜からなるものとしている。
【００１１】
さらに、この発明の建築用内装材は、前記金属薄膜層６が、取付け壁面Ｗへの粘着層を有したものとしている。
【発明の効果】
【００１２】
この発明の建築用内装材は、以上に述べたように構成されており、新築住宅又は既存住宅のいずれにも採用可能で、断熱、保温効果および遮音効果に優れ、しかも軽量であるので、新築住宅又は既存住宅の取付け壁面に取り付け易いものとなった。
【図面の簡単な説明】
【００１３】
【図１】この発明の建築用内装材の一実施形態を示す斜視図である。
【図２】この発明の建築用内装材の他の実施形態を示す斜視図である。
【図３】図１に示すこの発明の建築用内装材を壁面に取り付けた状態の断面図である。
【図４】図２に示すこの発明の建築用内装材を壁面に取り付けた状態の断面図である。
【図５】従来の建築用内装材の一例を示しており、この建築用内装材の断面図である。
【図６】従来の建築用内装材の他の例を示しており、この建築用内装材を壁面に取り付けた状態の断面図である。
【発明を実施するための形態】
【００１４】
以下、この発明の建築用内装材を実施するための形態を、図面に基づいて詳細に説明する。
【００１５】
先ず、この発明の建築用内装材は、図１、２に示したように、上面１と下面２とが複数列のリブ３によって所定間隔に仕切られた細長空間Ｓを有する合成樹脂板４の上面側に、表面仕上材５を重層したものとしている。さらに、前記合成樹脂板４の下面側には、金属薄膜層６を重層したものとしている。
【００１６】
合成樹脂板４の材質は、耐熱性、耐候性に優れたポリカーボネート樹脂からなるものとするのが好ましい。
【００１７】
表面仕上材５としては、住宅の内装材として通常用いられているビニールクロス、銘木練張り、プリントベニア等とすることができる。この表面仕上材５は、合成樹脂板４に接着剤で貼り付けたり、ビス止めして取り付けるなどして、その合成樹脂板４の上面側に重層することができる。
【００１８】
金属薄膜層６としては、光沢が施し易く、熱反射性に富む素材として適当なアルミ薄膜するのが好ましい。この金属薄膜層５は、アルミ箔膜として合成樹脂板４に貼り付けたり、アルミ蒸着膜として合成樹脂板４に蒸着して、その合成樹脂板４の下面側に重層することができる。また、この金属薄膜層６は、取付け壁面Ｗへの粘着層（図示せず）を有したものとし、その取付け壁面Ｗへ取り付け易くしたものとすることができる。なお、前記金属薄膜層６に粘着層を有したものとした場合には、この粘着層を剥離紙（図示せず）で被ったものとしている。
【００１９】
さらに、この発明の建築用内装材は、取付け壁面Ｗに取り付け易いように、一般的な住宅の壁面に取り付け易いように、合成樹脂板４の寸法を、縦が２５０ｃｍ程度、横が９０ｃｍ程度にしているが、このような寸法のものに限定されるものではない。
【００２０】
合成樹脂板４の細長空間Ｓの断面形状は、一辺が３〜１０ｍｍの長方形又は正方形などの四角形状としており、その細長空間Ｓの長さは、合成樹脂板４の縦長または横長となるものとしている。なお、前記細長空間Ｓは、長さ方向に貫通したものであっても、途中で区切られたものとしてもよい。
【００２１】
また、図１に示したこの発明の建築用内装材は、前記細長空間Ｓを縦方向に一段にしたものとしているが、図２に示したこの発明の建築用内装材は、前記複数列の隣り合うリブ３間を仕切り７によってそれぞれ区画し、細長空間Ｓを縦方向に二段にしたものとしている。なお、細長空間Ｓを縦方向に二段にした場合も、前記一段の場合の細長空間Ｓの体積と同じにしてもよいが、図２に示したように前記一段の場合の細長空間Ｓの体積の二倍にするのが好ましい。いずれの場合にも、断熱、保温効果はアップするものとなるが、前記細長空間Ｓを縦方向に二段にし、体積も二倍にするのがより断熱、保温効果はアップするものとなる。さらに、この発明の建築用内装材は、前記細長空間Ｓを縦方向に三段以上にし、体積も任意の倍数にすることもできる。
【００２２】
以上のように構成されたこの発明の建築用内装材は、金属薄膜層６に粘着層を有し、この粘着層を剥離紙で被ったものとした場合には、剥離紙を剥がし、取付け壁面Ｗに粘着層を押し付けて粘着させることにより、この取付け壁面Ｗに間単に取り付けることができるものとなる。
【００２３】
さらに、この発明の建築用内装材は、金属薄膜層６に粘着層を有していないものでは、取付け壁面Ｗに接着剤を塗布して、この金属薄膜層６をその接着剤を塗布した取付け壁面Ｗに押し付けて接着させることにより、取付け壁面Ｗに間単に取り付けることができるものとなる。
【００２４】
また、この発明の建築用内装材は、金属薄膜層６に粘着層を有していないものでは、金属薄膜層６側を取付け壁面Ｗに沿わせた状態にして、ビス止めすることによっても、取付け壁面Ｗに間単に取り付けることができるものとなる。
【００２５】
なお、この発明の建築用内装材は、図３、４に示したように、合成樹脂板４の細長空間Ｓが水平方向になるようにして、取付け壁面Ｗに取り付けたものとしているが、合成樹脂板４の細長空間Ｓが垂直方向になるようにして、取付け壁面Ｗに取り付けたものとしてよい。前記細長空間Ｓを水平方向になるようにするか、垂直方向になるようにするかは、取付け壁面Ｗの大きさや形状に応じて、その取り付け作業が簡単に行える方を選択すればよい。
【００２６】
このようにして、取付け壁面Ｗに取り付けたこの発明の建築用内装材は、前記合成樹脂板４の細長空間Ｓ内の空気層が有する保温性や断熱性と、金属薄膜層６自体が有する断熱性や高い反射率の相乗作用で、室内の保温、断熱効果および遮音効果をより高めることになる。
【００２７】
さらに、この発明の建築用内装材は、前記したように取付け壁面Ｗに色々な方法で取り付けることができるので、新築住宅又は既存住宅のいずれにも採用可能なものとなり、しかも軽量であるので、新築住宅又は既存住宅の取付け壁面Ｗに取り付け易いものとなっている。
【符号の説明】
【００２８】
１  上面
２  下面
３  リブ
４  合成樹脂板
５  表面仕上材
６  金属薄膜層
７  仕切り
Ｓ  細長空間
Ｗ  取付け壁面
【図１】
2010222779.tif 000003
【図２】
2010222779.tif 000004
【図３】
2010222779.tif 000005
【図４】
2010222779.tif 000006
【図５】
2010222779.tif 000007
【図６】
2010222779.tif 000008